(57)【要約】      （修正有）【課題】無線ローカルエリアネットワーク（ＷＬＡＮ）無線機がビーコンをＡＰから受信する準備が整うまで、局がスリープ状態のＷＬＡＮ無線機を動作することを可能にするための局、局により実行される方法及びネットワークのアクセスポイント（ＡＰ）により実行される対応する方法を提供する。【解決手段】局１１５、１２０、１２５は、局が接続されるネットワークのＡＰ１１０からウェイクアップ信号を受信するように構成された低電力（ＬＰ）無線機を含む。局は、ＷＬＡＮ無線機がウェイクアップ信号が受信されたという指示をＬＰ（低電力）無線機から受け付けるまでスリープ状態で動作するように構成されたＷＬＡＮ無線機を更に含み、ＷＬＡＮ無線機は、データ送信が局について未処理であることを示すビーコンをＡＰから受信するために指示の受け付け後に完全にアウェイクの状態で動作するように更に構成される。【選択図】図１
2015136113.tif 000002
【特許請求の範囲】
【請求項１】
局の低電力（ＬＰ）無線機により、前記局が接続されるネットワークのアクセスポイント（ＡＰ）からウェイクアップ信号を受信するステップであって、前記ウェイクアップ信号は、前記局の無線ローカルエリアネットワーク（ＷＬＡＮ）無線機を完全にウェイクさせるように構成される、ステップと、
前記局の前記ＷＬＡＮ無線機により、データ送信が前記局について未処理であることを示すビーコンを受信するステップと、
を含む、方法。
【請求項２】
前記局により、デューティサイクルの開始時に前記ＷＬＡＮ無線機のクリスタル及び前記ＬＰ無線機をアクティブ化するステップを更に含み、
前記ウェイクアップ信号は、前記局の物理層（ＰＨＹ）をオンにする、請求項１に記載の方法。
【請求項３】
前記ビーコンは、前記ウェイクアップ信号が受信された後に実質的に５０μｓにて受信され、前記５０μｓは、前記局の前記ＰＨＹがオンになるおよその時間に相当する、請求項２に記載の方法。
【請求項４】
前記局により、前記ＬＰ無線機をデューティサイクルの開始時にアクティブ化するステップを更に含み、
前記ウェイクアップ信号は、前記ＷＬＡＮ無線機のクリスタル及び前記局のＰＨＹをオンにする、請求項１に記載の方法。
【請求項５】
前記ビーコンは、前記ウェイクアップ信号が受信された後に３〜５ｍｓで受信され、前記３〜５ｍｓは、前記局の前記クリスタル及び前記ＰＨＹがオンになるおよその時間に相当する、請求項４に記載の方法。
【請求項６】
前記ＬＰ無線機により、前記ＷＬＡＮ無線機を完全にアウェイクさせるアクティブ化信号を、前記ウェイクアップ信号に基づいて前記ＷＬＡＮ無線機に直接に送るステップを更に含む、請求項１に記載の方法。
【請求項７】
前記ＬＰ無線機により、前記ウェイクアップ信号の受信の指示を前記局のプロセッサに送るステップと、
前記プロセッサにより、前記ＷＬＡＮ無線機を完全にアウェイクさせるアクティブ化信号を前記ＷＬＡＮ無線機に送るステップと、
を更に含む、請求項１に記載の方法。
【請求項８】
前記局の前記ＬＰ無線機により、前記ＷＬＡＮ無線機の電力モード状態を要求するポールを前記ＡＰから受信するステップと、
前記局により、前記ＷＬＡＮ無線機の前記電力モード状態を判定するステップと、
前記局の前記ＬＰ無線機により、局指示信号を前記ＡＰに送信するステップであって、前記局指示信号は、前記電力モード状態を示す、ステップと、
を更に含む、請求項１に記載の方法。
【請求項９】
前記ビーコンを受信する前に、ＮＯＷ信号を受信するステップであって、前記ＮＯＷ信号は、前記局の媒体アクセス制御（ＭＡＣ）モジュールをウェイクアップさせる、ステップを更に含む、請求項１に記載の方法。
【請求項１０】
ネットワークのアクセスポイント（ＡＰ）により、データ送信を受信する前記ネットワークの少なくとも１つの局を判定するステップと、
前記ＡＰにより、ウェイクアップ信号を前記少なくとも１つの局の低電力（ＬＰ）無線機に送信するステップであって、前記ウェイクアップ信号は、前記少なくとも１つの局の無線ローカルエリアネットワーク（ＷＬＡＮ）無線機をウェイクさせるように構成される、ステップと、
前記ＡＰにより、ビーコンを前記少なくとも局の前記ＷＬＡＮ無線機に送信するステップであって、前記ビーコンは、前記データ送信が前記少なくとも１つの局について未処理であることを示す、ステップと、
を含む、方法。
【請求項１１】
前記ウェイクアップ信号が送信されるときにタイマーを設定するステップを更に含む、請求項１０に記載の方法。
【請求項１２】
前記ビーコンは、前記ウェイクアップ信号が送信された後に所定の時間期間だけ送信され、前記所定の時間期間は、前記タイマーにより測定される、請求項１１に記載の方法。
【請求項１３】
前記所定の時間期間は、前記ＷＬＡＮ無線機のクリスタルが既にアクティブ化されているときは２５〜１００μｓの１つであり、前記ＷＬＡＮ無線機の前記クリスタルがアクティブ化解除されているときは３〜５ｍｓの１つである、請求項１２に記載の方法。
【請求項１４】
前記ＡＰにより、ポールを前記少なくとも１つの局の前記ＬＰ無線機に送信するステップであって、前記ポールは、前記少なくとも１つの局の前記ＷＬＡＮ無線機の電力モード状態を要求する、ステップと、
前記ＡＰにより、局指示信号を前記少なくとも１つの局の前記ＬＰ無線機から受信するステップであって、前記局指示信号は、前記電力モード状態を示す、ステップと、
を更に含む、請求項１０に記載の方法。
【請求項１５】
前記タイマーが設定された後に、及び、前記ビーコンを送信する前に、前記ＡＰにより、ＮＯＷ信号を送信するステップを更に含み、
前記ＮＯＷ信号は、前記ビーコンを送信するために使用されるべき媒体を占有し、
前記ＮＯＷ信号は、前記少なくとも１つの局の媒体アクセス制御（ＭＡＣ）モジュールをウェイクアップさせる、請求項１１に記載の方法。
【請求項１６】
局であって、
前記局が接続されるネットワークのアクセスポイント（ＡＰ）からウェイクアップ信号を受信するように構成された低電力（ＬＰ）無線機と、
前記ウェイクアップ信号が受信されたという指示を前記ＬＰ無線機から受信するまで、スリープ状態で動作するように構成された無線ローカルエリアネットワーク（ＷＬＡＮ）無線機と、を備え、
前記ＷＬＡＮ無線機は、データ送信が前記局について未処理であることを示すビーコンを前記ＡＰから受信するために前記指示の受信後に完全にアウェイクの状態で動作するように更に構成される、局。
【請求項１７】
前記ＷＬＡＮ無線機は、クリスタルと物理層（ＰＨＹ）とを含み、前記スリープ状態は、前記クリスタルが電源オン状態であること、及び、前記ＰＨＹがオフ又は待機状態であることを含み、前記完全にアウェイクの状態は、前記クリスタルが電源オンの状態であること、及び、前記ＰＨＹが電源オンの状態であることを含む、請求項１６に記載の局。
【請求項１８】
前記ＷＬＡＮ無線機は、クリスタル及び物理層（ＰＨＹ）を含み、前記スリープ状態は、前記クリスタルが電源オフ状態であること、及び、前記ＰＨＹがオフ又は待機状態であることを含み、前記完全にアウェイクの状態は、前記クリスタルが電源オンの状態であること、及び、前記ＰＨＹが電源オンの状態であることを含む、請求項１６に記載の局。
【請求項１９】
前記ＬＰ無線機は、デューティサイクルの開始によりアクティブ化されるまでスリープ状態で動作するように構成される、請求項１６に記載の局。
【請求項２０】
前記ウェイクアップ信号が受信されたという更なる指示を前記ＬＰ無線機から受信して、前記指示を前記ＷＬＡＮ無線機に提供するように構成されたプロセッサを更に備える、請求項１６に記載の局。
【発明の詳細な説明】
【技術分野】
【０００１】
本出願は、２０１４年１月１７日出願の「Ｓｙｓｔｅｍ  ａｎｄ  Ｍｅｔｈｏｄ  ｆｏｒ  Ｌｏｗ  Ｐｏｗｅｒ  Ｓｉｇｎａｌｉｎｇ  ｉｎ  ａ  Ｗｉｒｅｌｅｓｓ  Ｌｏｃａｌ  Ａｒｅａ  Ｎｅｔｗｏｒｋ」と題された米国特許仮出願第６１／９２８，９１４号に対する優先権を主張し、その全体が、参照により本明細書に組み込まれる。
【背景技術】
【０００２】
無線ローカルエリアネットワーク（ＷＬＡＮ）は、データを局間で交換するために使用することができる。データを受信する局は、デューティサイクルを使用して構成することができる。デューティサイクルは、受信局のＷＬＡＮ無線機がＷＬＡＮのアクセスポイントなどのネットワーク構成要素から送信されたビーコンをリッスンするために選択時間期間にてアクティブ化されることになっている持続時間を示すスケジュールを示すことができる。ＷＬＡＮ無線機は、デューティサイクル内の第１の所定の時間期間の間アクティブ化され、ビーコンがこの時間期間において受信されない場合にはアクティブ化解除され、つまり、スリープ状態（例えば、冬眠する）に置かれてもよい。ＷＬＡＮ無線機は、ＷＬＡＮ無線機が第１の所定の時間期間の間再びアクティブ化される前に、第２の所定の時間期間の間スリープすることができる。これは、アクティブ化されている間はビーコンがＷＬＡＮ無線機により受信されるまで繰り返すことができる。
【発明の概要】
【発明が解決しようとする課題】
【０００３】
ＷＬＡＮ無線機をアクティブ化及びアクティブ化解除するためには必要とされる電力は、相対的に高く、特にビーコンが受信されないときには浪費される恐れがある。
【課題を解決するための手段】
【０００４】
例示的な一実施形態では、ネットワークに接続された局は、方法を実行する。この方法は、局の低電力（ＬＰ）無線機により、局が接続されるネットワークのアクセスポイント（ＡＰ）からウェイクアップ信号を受信するステップであって、ウェイクアップ信号は、局の無線ローカルエリアネットワーク（ＷＬＡＮ）無線機を完全にウェイクさせるように構成される、ステップと、局のＷＬＡＮ無線機により、データ送信が局について未処理であることを示すビーコンを受信するステップ、とを含む。
【０００５】
別の例示的な実施形態では、ネットワークのアクセスポイント（ＡＰ）は、方法を実行する。この方法は、データ送信を受信するネットワークの少なくとも１つの局を判定するステップと、ウェイクアップ信号を少なくとも１つの局の低電力（ＬＰ）無線機に送信するステップであって、ウェイクアップ信号は、少なくとも１つの局の無線ローカルエリアネットワーク（ＷＬＡＮ）無線機をウェイクさせるように構成される、ステップと、ＡＰにより、ビーコンを少なくとも局のＷＬＡＮ無線機に送信するステップであって、ビーコンは、データ送信が少なくとも１つの局について未処理であることを示す、ステップと、を含む。
【０００６】
更なる例示的な実施形態では、局は、低電力（ＬＰ）無線機と、無線ローカルエリアネットワーク（ＷＬＡＮ）無線機と、を含む。ＬＰ無線機は、ウェイクアップ信号を局が接続されるネットワークのアクセスポイント（ＡＰ）から受信するように構成される。ＷＬＡＮ無線機は、ＷＬＡＮ無線機がウェイクアップ信号が受信されたという指示をＬＰ無線機から受け付けるまでスリープ状態で動作するように構成され、ＷＬＡＮ無線機は、データ送信が局について未処理であることを示すビーコンをＡＰから受信する指示の受け付け後に完全にアウェイクの状態で動作するように更に構成される。
【図面の簡単な説明】
【０００７】
【図１】その後のデータ送信を示すビーコンを送信する前に指示を送信する例示的なネットワーク構成を示す図である。
【図２】指示、ビーコン、及びその後のデータ送信を受信するように構成された例示的な局を示す図である。
【図３】ウェイクアップ信号を利用する第１の例示的なシグナリング図である。
【図４】ウェイクアップ信号を利用する第２の例示的なシグナリング図である。
【図５】ウェイクアップ信号受信及びその後の動作の例示的なブロック図である。
【図６Ａ】例示的なウェイクアップ信号フォーマットを示す図である。
【図６Ｂ】例示的な局指示信号フォーマットを示す図である。
【発明を実施するための形態】
【０００８】
例示的な実施形態を、以下の説明及び関連した添付図面を参照して更に理解することができ、同様の要素は、同じ参照番号が付されている。例示的な実施形態は、ＷＬＡＮにおける低電力シグナリングのシステム及び方法に関係する。具体的には、ＷＬＡＮのアクセスポイント（ＡＰ）は、指示（例えば、ウェイクアップ信号）を、受信局にビーコンを送信する前にデータ送信を受信するように予定された局に送信することができる。受信局は、第２の無線機がビーコンを受信するように構成されるように第２の無線機をアクティブ化するために第１の無線機を使用して指示を受信することができる。第１の無線機は、第２の無線機よりも低い低電力消費を動作のために利用することができる。したがって、受信局は、ビーコンを連続的にリッスンするためにより高い電力の第２の無線機を使用しないことにより電力を節約することができる。低電力シグナリング、指示、ビーコン、ＷＬＡＮのＡＰ、受信局、第１及び第２の無線機、及び電力節約について、以下で更に詳細に説明する。
【０００９】
初めに、以下の説明はＷＬＡＮにおいて第１及び第２の無線機並びにウェイクアップ信号を使用することに関することに注意されたい。しかしながら、ＷＬＡＮの使用は、例示的にすぎない。例示的な実施形態は、また、例えば、ピアツーピア（Ｐ２Ｐ）ネットワークを含む様々な他のネットワークタイプにおいて使用してもよい。
【００１０】
局は、移動局であるとき、限りがある携帯型電源の使用に制限されることが多い。したがって、移動局の重要なデザイン上の制約は、固定された電源に接続されることなく局がより長い期間に使用されることを可能にするために最小量の電力が任意の所与の動作に使用されるということである。低電力消費化が望ましい１つの特定の用途は、データ送信に関係する低いデータスループット及び低いデューティサイクルでの用途である。局は、ビーコンをリッスンするために無線機がアクティブ化されることになっている所与の持続時間内の時間間隔を示すデューティサイクルで構成することができる。ビーコンは、例えば、電気電子技術者協会（ＩＥＥＥ）により提供される８０２．１１仕様における管理フレームを表すことができる。具体的には、ビーコンは、局により受信されるべき未処理のデータ送信に関する情報を含むことができる。
【００１１】
８０２．１１仕様で使用される無線機については、受信機能中に消費される電力は、相対的に高い。例えば、５ＧＨｚネットワークにおいて、電力消費は、２．４ＧＨｚネットワークよりも３０％上回り得る。当業者は、データ送信を受信する電力消費は、受信信号を探す電力消費と実質的に類似のものであることを理解するであろう。したがって、無線機は、ビーコンを受信するためにアクティブ化されて使用される度に相対的に多量の電力を利用している。
【００１２】
この電力消費を低減する１つの方法は、低いデューティサイクルを維持することである。例えば、無線機が多量の電力を消費する時間量を少なくすると、その結果、局の全体的な電力消費が低減される。例えば、５０％でのデューティサイクルでは、無線機が必要とされるサイクルの期間の半分の間、アクティブ化されることが必要である。デューティサイクルを１０％などのより小さい量に減少させることにより、無線機がアクティブ化されるサイクルの期間内の時間が４０％少なくなる。それにもかかわらず、多量の電力が、依然として、無線機がアクティブ化される度に必要とされる。
【００１３】
更に、低いデューティサイクルは、無線機がアクティブ化つまり使用されていない時間中にスリープすることが許容されるときに適用されるにすぎない。しかしながら、これは、ビジーなＷＬＡＮで達成するのは実質的に不可能である。例えば、無線機は、望ましくないパケットでも受信するためにアウェイクかつアクティブ化されたままでなければならない。別の実施例では、ＷＬＡＮは、局に知られている目標ビーコン送信時間（ＴＢＴＴ）（Target Beacon Transmission Time）に従って受信されるように予定されているビーコンが遅延する程度に混雑している場合がある。局は、したがって、遅延するビーコンが受信されるまで無線機をＴＢＴＴの指示時間から全電力アクティブ化状態で維持することが必要とされる場合がある。
【００１４】
更に、ＷＬＡＮのＡＰは、局について未処理であるパケット（即ち、ビーコンに示すような該局に送信されるデータ）があると失敗せずに示している場合がある。しかしながら、ビジーなＷＬＡＮのため、又は、他の理由で、局は、無線機がスリープ又は省電力モードからウェイクされたので、フレームを要請するために省電力（ＰＳ）ポールフレームを送出するために媒体をめぐって競合しなければならない。これは、無線機は、ＰＳポールフレームが失敗せずにＡＰに送信されるまでアクティブ化された状態に維持されなければならないので電力消費を更に悪化させる恐れがある。
【００１５】
例示的な実施形態は、低電力シグナリングを利用する機構、並びに、高電力消費無線機がアクティブ化されるのに必要とされる総時間を低減する機構を提供する。即ち、高電力消費無線機は、電力消費を減少させるために全体的なより長い期間の間スリープすることが許容される。本明細書で使用するとき、高電力消費無線機は、ＷＬＡＮ無線機と称されることになる。例示的な実施形態は、ＷＬＡＮ無線機及び更なる低電力（ＬＰ）無線機を利用する。ＬＰ無線機は、動作するために、ＷＬＡＮ無線機より実質的に少量の電力を利用することができる。ＬＰ無線機は、指示又はウェイクアップ信号をＷＬＡＮのＡＰから受信するように構成することができる。したがって、ＷＬＡＮのＡＰは、このウェイクアップ信号を提供するように構成することができる。アクティブ化されたＬＰ無線機は、相対的に低い電力量を使用し、ウェイクアップ信号を受信することができ、該ウェイクアップ信号は、スリープしているＷＬＡＮ無線機をウェイクする（例えば、局のＰＨＹをウェイクする）ために使用される。このようにすると、ＷＬＡＮ無線機は、その後の送信が局宛てであることがわかっているときにウェイクされるだけである。具体的には、ＷＬＡＮ無線機は、ＡＰでの未処理パケットのその後のデータ送信を示すビーコンを受信するためにアウェイクである。以下でも更に詳細に説明するように、例示的な実施形態は、局が媒体をめぐって競合するのを実質的に防止し、並びに、ＬＰ無線機をＰＳポールフレームを提供するなどのアップリンク動作に使用することを可能にする更なる機構を供給することができる。
【００１６】
図１は、その後のデータ送信を示すビーコンを送信する前に指示を送信する例示的なネットワーク構成１００を示す。ネットワーク構成１００は、ネットワーク１０５と、ネットワークに接続するために複数の局１１５〜１２５により使用されるＡＰ  １１０とを含むことができる。ネットワーク１０５は、例えば、ＩＥＥＥにより規定されるような８０２．１１仕様を使用するＷＬＡＮとすることができる。しかしながら、当業者は、ネットワーク１０５は、データがネットワーク自体の少なくとも１つの第１の電子機器と少なくとも１つの第２の電子機器との間で交換される任意のタイプの通信ネットワークとすることができることを理解するであろう。したがって、ネットワーク構成１００は、サーバ、ルータ、ネットワーク管理構成、ネットワークデータベースなどなどの更なるネットワーク構成要素（図示せず）を含むことができる。
【００１７】
局１１５〜１２５は、それぞれ、ＡＰ  １１０を介してネットワーク１０５に接続することができる。具体的には、局１１５〜１２５は、例えば、ハンドシェーク機能性を使用してＡＰ  １１０と関連づけることができる。しかしながら、例示的な実施形態は、非ＡＰ局である局にも関し、かつ、該局に使用することができる。ネットワーク構成１００内の局１１５〜１２５の数は例示的にすぎないことに注意されたい。当業者は、任意の数の局１１５〜１２５が存在することができることを理解するであろう。ネットワーク１０５は、ネットワークに接続するために局１１５〜１２５により使用することができる任意の数のＡＰを有することができることにも注意されたい。更に、ＡＰではないネットワークアクセスを可能にする他のタイプの機器があり得る。これらの他のタイプのネットワークアクセス機器は、ＡＰ  １１０について本明細書で説明する機能性を実行することもできる。
【００１８】
ＡＰ  １１０は、局１１５〜１２５の少なくとも１つへの宛先を有すると示されたデータを送信するように構成することができる。局１１５〜１２５の１つにＡＰ  １１０により送信されることになっているデータは、局１１５〜１２５から、又は、ネットワーク１０５から受信することができる。例えば、局１１５は、ＡＰ  １１０を介して局１２５宛てのデータを送信することができる。以下で更に詳細に説明するように、ＡＰ  １１０は、データの送信に関する情報を提供するビーコンを送信する前にデータを受信することになっている局に、ウェイクアップ信号を初めに送信することができる。ビーコンが送信された後、ＡＰ  １１０は、データを局に送信することができる。
【００１９】
図２は、指示、ビーコン、及びその後のデータ送信を受信するように構成された例示的な局２００を示す。具体的には、局２００は、局１１５〜１２５などの電子機器を表すことができる。更に詳しくは、局２００は、セルラー電話、スマートフォン、タブレット、ファブレット、ラップトップなどのネットワーク１０５とデータを交換するように構成された任意のポータブル装置とすることができる。局２００は、プロセッサ２０５と、メモリ構成２１０と、表示機器２１５と、入出力（Ｉ／Ｏ）機器２２０と、ＷＬＡＮ無線機２２５と、ＬＰ無線機２３０と、他の構成要素２３５とを含むことができる。
【００２０】
プロセッサ２０５は、局２００の複数のアプリケーションを実行するように構成することができる。例えば、アプリケーションとしては、ネットワーク１０５に接続されたときにテキストを更なる局から受信するテキストメッセージアプリケーションを挙げることができる。別の実施例では、アプリケーションとしては、ＷＬＡＮ無線機を（ＬＰ無線機２３０からの信号に基づいて）をウェイクするか、又は、ＷＬＡＮ無線機を（例えば、予想された送信非アクティブ状態に基づいて）スリープ状態にする信号をＷＬＡＮ無線機２２５に送信する無線機アクティブ化アプリケーションを挙げることができる。プロセッサ２０５により実行されるプログラムであるアプリケーションは例示的にすぎないことに注意されたい。アプリケーションは、局２００の別個の組み込まれた構成要素として表してもよく、又は、局２００に結合されたモジュール式の構成要素としてもよい。無線機アクティブ化アプリケーションの使用が例示的にすぎないことにも注意されたい。別の実施例では、ＬＰ無線機２３０が無線機アクティブ化アプリケーションの機能性を実行する直接的なシグナリング経路を、ＷＬＡＮ無線機２２５とＬＰ無線機２３０との間に確立することができる。別の例示的な実施形態では、無線機アクティブ化アプリケーションについて説明する機能性は、ファームウェアの有無を問わず別個の集積回路内で実行することができる。
【００２１】
メモリ構成２１０は、局２００により実行される動作に関係するデータを記憶するように構成されたハードウェア構成要素とすることができる。例えば、メモリ構成２１０は、データ送信に関係する、ＡＰ  １１０から受信された情報を記憶することができる。表示機器２１５は、データをユーザに示すように構成されたハードウェア構成要素とすることができ、一方、Ｉ／Ｏ機器２２０は、入力をユーザから受け付けて対応するデータを出力するように構成されたハードウェア構成要素とすることができる。他の構成要素２３５としては、携帯型電源（例えば、電池）、データ取得機器、局２００を他の電子機器に電気的に接続するポート、音声Ｉ／Ｏなどを挙げることができる。
【００２２】
ＷＬＡＮ無線機２２５は、データをネットワーク１０５で送信及び／又は受信するように構成されたハードウェア構成要素（例えば、送受信機）とすることができる。先に論じたように、ＷＬＡＮ無線機２２５は、８０２．１１  ＷＬＡＮ内で使用される高電力消費無線機とすることができる。したがって、アクティブ化されたとき、ＷＬＡＮ無線機２２５は、例えば、ＷＬＡＮが２．４ＧＨｚにて動作するときに１８０ｍＷの電力を、又は、ＷＬＡＮが５ＧＨｚにて動作するときに２４０ｍＷの電力を消費し得る。以下で更に詳細に説明するように、ＷＬＡＮ無線機２２５は、２つの状態、つまりアウェイク／アクティブ化、又は、スリープ中／アクティブ化解除の１つであり得る。アウェイクのときに、ＷＬＡＮ無線機２２５は、ビーコンをＡＰ  １１０から、並びに、局２００への送信に予定されたデータを受信するように構成することができる。
【００２３】
ＷＬＡＮ無線機２２５は無線信号を使用して動作するので、これらの信号は、様々な周波数を使用して伝搬される。これらの周波数は、例えば、水晶発振器を使用して達成することができる。水晶発振器は、非常に正確な周波数で電気信号を作成するために圧電材料（例えば、水晶クリスタル）の振動クリスタルの機械的共鳴を使用する電子発振器回路である。以下で更に詳細に説明するように、ＷＬＡＮ無線機２２５のクリスタルをアクティブ化するためには必要とされる時間は、例示的な実施形態がウェイクアップ信号を利用する方法に影響を与える場合がある。具体的には、クリスタルは、アクティブ化するのに３〜５ｍｓを必要とする場合があり、一方、ＷＬＡＮ無線機２２５の他の面（例えば、ＰＨＹ）は、その時間の一部を必要とするにすぎない場合がある。例えば、クリスタルがオンになった後にＷＬＡＮ無線機２２５が完全にアウェイクであるために、ＰＨＹをオンにすることができる。ＰＨＹをオンにするには、初めに待機モードにするためにほぼ５００μｓ、オンに保持するためにほぼもう５０μｓが必要である。しかしながら、ＰＨＹを待機からオンにする動作は２５〜１００μｓであり得ることに注意されたい。
【００２４】
ＷＬＡＮ無線機２２５内のクリスタルの使用は例示的にすぎないことに注意されたい。例えば、非クリスタル構成要素を使用することができる。クリスタルは、周波数の選択を可能にする任意の発振器を表すことができる。更に、ＷＬＡＮ無線機２２５は、選択された周波数にて信号を生成する他の方法を使用することができる。例えば、非発振器構成要素を使用することもできる。したがって、本明細書で説明するクリスタルは、信号を既知の周波数にて生成することを可能にするＷＬＡＮ無線機２２５の任意の構成要素を表すことができる。当業者は、これらの他の方法によっては、例示的な実施形態は、これらの他の方法での構成要素の使用に関するタイミング問題に対応するように改変することができることを理解するであろう。
【００２５】
ＬＰ無線機２３０は、ＡＰ  １１０と信号を送信及び／又は受信するように構成されたハードウェア構成要素とすることができる。具体的には、ＬＰ無線機２３０は、指定のデータ交換機能性を提供することができる。先に論じたように、ＬＰ無線機２３０は、ウェイクアップ信号をＡＰ  １１０から受信することができる。第１の実施例では、ＬＰ無線機２３０は、無線機アクティブ化アプリケーションがＷＬＡＮ無線機２２５をウェイクすることができるように、対応する信号をプロセッサ２０５に転送することができる。例えば、プロセッサは、ＰＨＹをオンにアクティブ化するアクティブ化信号をＷＬＡＮ無線機２２５に送ることができ、クリスタルもアクティブ化することもできる。第２の実施例では、ＷＬＡＮ無線機２２５のアクティブ化信号は、ＬＰ無線機２３０により生成することができ、このアクティブ化信号は、ＬＰ無線機２３０とＷＬＡＮ無線機２２５との間の直接的な経路を介してＷＬＡＮ無線機２２５に送ることができる。更に、ＷＬＡＮ無線機２２５のアクティブ化動作後、ＬＰ無線機２３０は、ＷＬＡＮ無線機２２５の現在の電力状態をＡＰ  １１０に示す局指示信号を送信するように構成することができる。即ち、ＡＰ１１０が実行されるべきデータ送信に通常必要とする低電力シグナリングをその後の信号送信に使用することもできる。したがって、ＷＬＡＮ無線機２２５は、この機能性を実行するために必要とされない場合がある。
【００２６】
先に論じたように、ＬＰ無線機２３０は、ＷＬＡＮ無線機２２５と比較するとアクティブ化されたときに、大幅に低減した電力を使用することができる。例えば、ＬＰ無線機２３０は、アクティブ化されたときに４００μＷの電力を使用することができる。ＷＬＡＮ  ２２５により使用されるミリワットの電力と比較すると、当業者は、実現することができる電力節約量を認識するであろう。この点を踏まえて、ＬＰ無線機２３０は、ＷＬＡＮ無線機２２５を製造するために使用される構成要素と異なるか、又は、該構成要素ほど複雑ではない構成要素で製造することができるが、それでも、本明細書で記載の機能性を実行するように構成することができることに注意されたい。
【００２７】
ＷＬＡＮ無線機２２５により引き出される１８０〜２４０ｍＷの電力と比較して４００μＷの電力を引き出すことにより低電力消費化を行うＬＰ無線機２３０は例示的にすぎないことに注意されたい。具体的には、ＬＰ無線機２３０により使用される少量の電力は、アクティブ化から必要とする電力がＷＬＡＮ無線機２２５より少ない任意の更なる無線機に関する。即ち、ビーコンをリッスンするためにＬＰ無線機２３０により使用される電力の全体量は、ビーコンをリッスンするためにＷＬＡＮ無線機２２５により使用される電力の全体量を下回る。
【００２８】
例示的な実施形態により、ＡＰ  １１０は、局１１５、１２０、１２５の１つ以上に送信されるべきデータを受信又は生成するように構成することができる。このデータを選択された局１１５〜１２５に送信する前に、ＡＰ  １１０は、着信データ送信があると局１１５〜１２５に通知することができる。この通知は、ＷＬＡＮ無線機２２５がアウェイクであって、かつ、データ送信を受信するように準備されるように情報を選択された局１１５〜１２５に提供する。先に論じたように、ＷＬＡＮ無線機２２５は、ビーコンを受信するために、デューティサイクル内での選択時間間隔にてアクティブ化することができる。しかしながら、例示的な実施形態により、局１１５〜１２５は、ＬＰ無線機２３０がアクティブ化されるときを判定するためにデューティサイクルを利用することができる。具体的には、ＬＰ無線機２３０は、デューティサイクルの期間にわたってアクティブ化される。尚、ＬＰ無線機２３０の低電力消費の為に、それでも、結果的に、ＷＬＡＮ無線機２２５の標準的なウェイク／スリープよりも減少した全体的な電力使用量となる。
【００２９】
ＬＰ無線機２３０は、アクティブ化されている間、ＡＰ  １１０により生成及び送信される着信ウェイクアップ信号をリッスンすることができる。即ち、ＡＰ  １１０により実行された通知の一部は、ＬＰ無線機２３０により受信される初期ウェイクアップ信号を含む。第１の実施例では、ＡＰ  １１０は、その後のビーコン及びデータ送信に予定されるウェイクアップ信号を局１１５〜１２５のそれぞれについて生成することができる。例えば、全ての局１１５〜１２５がその後のビーコン及びデータ送信を受信することになっている場合、ＡＰ  １１０は、局１１５〜１２５のそれぞれについてそれぞれのウェイクアップ信号を生成することができる。別の実施例では、局１１５、１２０がその後のビーコン及びデータ送信を受信することになっている場合、ＡＰ  １１０は、これらの局のみについてそれぞれのウェイクアップ信号を生成することができ、一方、ウェイクアップ信号は、局１２５には生成されない。第２の実施例では、ＡＰ  １１０は、（例えば、個々のウェイクアップ信号が生成されるのではなく）その後のビーコンをチェックするウェイクアップ信号を全ての局１１５〜１２５について一斉配信法で生成することもできる。第３の実施例では、ＡＰ  １１０は、局をグループ化してウェイクアップ信号をグループ式に送ることができ、１つのウェイクアップ信号を、グループ内の全ての局に送信することができる。
【００３０】
選択局のＬＰ無線機２３０がウェイクアップ信号を受信したとき、ＬＰ無線機２３０は、アクティブ化信号をＷＬＡＮ無線機２２５に転送することができる（例えば、先述したように、アクティブ化信号は、ＷＬＡＮ無線機２２５に直接に転送することができるか、又は、ＬＰ無線機は、ＷＬＡＮ無線機２２５に送るアクティブ化信号を生成するプロセッサ２０５にウェイクアップ信号を転送することができる）。ＰＨＹをオンにする、おそらくはクリスタルをアクティブ化するなどのアクティブ化信号は、ＷＬＡＮ無線機２２５がスリープ状態からウェイクすることになっていることを示すことができる。先に論じたように、ＷＬＡＮ無線機２２５内のクリスタルのアクティブ化は、ＡＰ  １１０との信号送信のタイミングに影響を与える場合がある。したがって、例示的な実施形態は、ＬＰ無線機２３０により受信されたウェイクアップ信号を使用する２つの機構を提供する。
【００３１】
第１の例示的な実施形態では、局１１５〜１２５はデューティサイクルの期間にわたってＷＬＡＮ無線機２２５のクリスタルをアクティブ化するように構成することができる。即ち、ＬＰ無線機２３０及びＷＬＡＮ無線機２２５のクリスタルは、両方とも、デューティサイクルの期間中にアクティブ化することができる。しかしながら、ＷＬＡＮ無線機２２５のＰＨＹは、スリープのままであり得る。更に詳しくは、ＷＬＡＮ無線機２２５のＰＨＹは、待機（即ち、スリープとウェイクの中間の設定）であり得る。その後のビーコン送信前にデューティサイクルにわたってＷＬＡＮ無線機２２５のクリスタルをアクティブ化してＰＨＹを待機にすることにより、相対的に速いウェイクアップ手順を提供することができる。具体的には、クリスタルが既にアクティブ化されていることから、ＷＬＡＮ無線機２２５のＰＨＹのみをオンにすればよい。先に論じたように、ＰＨＹを待機からオンにするプロセスは、５０μｓ未満であればよい。したがって、ＡＰ  １１０からのウェイクアップ信号は、ビーコンが送信される約５０μｓ前に局１１５〜１２５に送信することができる。このようにして、局１１５〜１２５がビーコンを受信するように準備するのに十分な時間量が提供される。その後、ビーコンが送信される直前に、ＮＯＷ信号をＡＰ  １１０から局１１５〜１２５に送信することができる。ＮＯＷ信号は、局１１５〜１２５が実際のビーコン送信まで更に省電力化することを可能にすることができる。
【００３２】
第２の例示的な実施形態では、局１１５〜１２５は、多段ウェイクアップ手順のために構成することができる。具体的には、ＷＬＡＮ無線機２２５は、スリープ状態とすることができ、クリスタルはアクティブ化解除され、ＰＨＹはオフにされる。したがって、ＷＬＡＮ無線機２２５をウェイクするために、クリスタルを（３〜５ｍｓで）アクティブ化するべきであり、ＰＨＹを（５０〜５５０μｓで）待機／オンにするべきである。必要とされるこの延長された期間を考慮して、ＡＰ１１０は、ＷＬＡＮ無線機２２５が完全にアウェイクとなるのに十分な時間を可能にするために、ビーコン送信の少なくとも４ｍｓ前にウェイクアップ信号を送信することができる。ウェイクアップ信号が送信された後、ＡＰ１１０は、この所定の時間期間、待機し、その後、ビーコンが送信される直前にＮＯＷ信号を送信することができる。４ｍｓの使用は例示的にすぎず、異なる待ち時間を使用することができることに注意されたい。しかしながら、４ｍｓを上回る遅延は、潜在的な更なる電力損失のために望まれないかもしれないことにも注意されたい。
【００３３】
当業者は、ウェイクアップ信号は、データ送信を受信するように予定されていない更なる局もウェイクさせる場合があることを理解するであろう。このようなシナリオが生じる様々な理由があり得る。したがって、例示的な実施形態は、ウェイクアップ信号が所期の局によってのみ受信される機構を提供する。具体的には、ウェイクアップ信号は、他のネットワークトラフィックと衝突するのが防止される。第１の実施例では、８０２．１１に従って規定された仕様を使用することができる。具体的には、８０２．１１による保護フレームは、ウェイクアップ信号を送る前に使用することができる。第２の実施例では、ウェイクアップ信号は、ウェイクアップ信号の送信のみの専用チャネルを使用するなど、８０２．１１トラフィックに影響されないように生成することができる。
【００３４】
ビーコンが送信される前に他のトラフィックが使用中であり得ることに注意されたい。異なる送信がウェイクアップ手順及びビーコン送信に使用される媒体を占有するこの可能性を考慮して、例示的な実施形態は、先述したタイミング機能を提供する。第１の実施例については、ＷＬＡＮ無線機２２５がウェイクするために、まさに十分な時間が、ウェイクアップ信号の送信とビーコンの送信間に設定される。ウェイクアップ信号を送信した後に、間に間隙なく、直ちにＮＯＷ信号を送信することができる。ＮＯＷ信号は、初めに、ビーコンがＮＯＷ信号の直後に送信されることを示す機能を提供することができる。ＮＯＷ信号は、媒体がビーコンに送信されるのにまだ利用可能であるように媒体のプレースホールダーを提供することもできる。第２の実施例については、まさに十分な時間が、ＷＬＡＮ無線機２２５がウェイクするために、ウェイクアップ信号の送信とビーコンの送信間に設定される。しかしながら、ウェイクアップ信号の送信とＮＯＷ信号の送信との間には間隙がある場合がある。ＮＯＷ信号は、したがって、先述したように、ＮＯＷ信号の直後にビーコンの送信に向けて媒体を保持するために使用することができる。ＮＯＷ信号は、また、ビーコンを受信するように準備するために局の媒体アクセス制御（ＭＡＣ）をアクティブ化するために使用することができる。
【００３５】
ＡＰ  １１０の観点からデータの送信を見ると、ＡＰ  １１０は、ネットワークパケットを初めに送信することができる。例えば、ネットワークパケットは、その後のデータ送信のための媒体の要求を含むことができる。ネットワークパケットが送られた後、Ｎｅｔｗｏｒｋ  Ａｌｌｏｃａｔｉｏｎ  Ｖｅｃｔｏｒ（ＮＡＶ）保護スキームを用いることができる。先に論じたように、これは、他のネットワークトラフィックと衝突しないウェイクアップ信号を使用することを伴う場合がある。このウェイクアップ信号は、ビーコン及びその後のデータ送信も受信することになる選択局１１５〜１２５に送信することができる。ビーコンが送信される直前に、ＮＯＷ信号などの任意選択的なフィラーパケットを送信することができる。当業者は、信号が送信されたときに、確認応答（ＡＣＫ）信号の使用を理解するであろう。しかしながら、例示的な実施形態は、ウェイクアップ信号が送信されるときにＡＣＫを利用しない場合がある。例えば、ウェイクアップ信号の影響を受けない性質の為に、ＡＣＫが不要となる場合がある。
【００３６】
ウェイクアップ信号は、様々な方法でフォーマットすることができる。しかしながら、ウェイクアップ信号は、ＡＰ  １１０により送信され、かつ、選択された局のＬＰ無線機２３０により受信されるように設計される。例示的な実施形態では、ウェイクアップ信号は、相対的に小さい所定のビット数を有する。例えば、必須パラメータのみをウェイクアップ信号内に含めることができる。パラメータとしては、アドレス指定に関係するものを挙げることができる。誤検出が冗長なウェイクアップを引き起こす場合があることから、ウェイクアップ信号は、完全に無線機の送信機及び受信機を識別することは必要とされない。したがって、簡素化ソースアドレス（例えば、ＭＡＣアドレスの最後の６ビット）を使用することができ、簡素化宛先アドレス（例えば、ユニキャスト又はマルチキャスト又は部分ＴＩＭビットマップの最後の６ビット）を使用することができる。フレームタイプ（例えば、６ビットに制限されたタイプ及びサブタイプ）及びウェイク／スリープインジケータ（１ビットを使用）など任意選択的なパラメータを含めることもできる。
【００３７】
特定の例示的なフォーマットでは、及び、図６Ａに示すように、ウェイクアップ信号６００は、３つのフィールドを含むことができる。第１のフィールドは、短いソースアドレスとすることができる。短いソースアドレスの実施例は、部分的なソースＭＡＣアドレス又はソースＭＡＣアドレスのハッシュとすることができる。第２のフィールドは、ビーコンアップデートとすることができる。例えば、ＡＰ  １１０が任意のビーコンパラメータを更新したときはいつでも、このフィールドを１だけ上げることができる。局は、更新されたパラメータについて次のビーコンに対してチェックを実行するべきかどうか素早く判定することができる。第３のフィールドでは、ダウンリンクデータ指示とすることができる。ダウンリンクデータ指示は、１つの局又は複数の局が未処理ダウンリンクデータ（即ち、ビーコンの後のその後のデータ送信）を有することの指示とすることができる。これは、局ＡＩＤビットマップ（８０２．１１仕様のＴＩＭと類似）又はアドレスリストとすることができる。図６Ａに示すように、ウェイクアップ信号のフィールドは、局がウェイクアップ信号で受信されているデータを理解するように指定の順序を有することもできる。しかしながら、順序が図６Ａに示すのと同じであることは、要件ではない。
【００３８】
先に論じたように、ＷＬＡＮ無線機２２５がＬＰ無線機２３０により受信されたウェイクアップ信号に基づいてアウェイクされて、ＷＬＡＮ無線機２２５がビーコンを受信した後、ＬＰ無線機２３０は、ＷＬＡＮ無線機２２５の状態をＡＰ  １１０に示すために再び使用することができる。即ち、ＷＬＡＮ無線機２２５がアウェイクである局１１５〜１２５の選択局は、ＡＰ  １１０にＷＬＡＮ無線機２２５のウェイクアップ状態を示すことを望み、及び／又は、パケット（即ち、ウェイクアップ手順を促した未処理データ送信）を要請することができる。したがって、低電力シグナリングは、逆方向で使用することができる。
【００３９】
従来の応答信号が送信されたとき、ＷＬＡＮ無線機２２５が、使用されて、ＡＰ  １１０にＰＳポールにフレーム又はＮＵＬＬ又はＱｏＳ  ＮＵＬＬを送るために他の局と競合しなければならない。これにより、ほんの数ビットの情報（例えば、バックオフ、８０２．１１フレームなど）のために顕著な量の媒体時間が浪費される場合がある。例示的な実施形態は、応答を送信するためにＬＰ無線機２３０を利用する機構を提供する。
【００４０】
具体的には、局は、ウェイクアップ信号と実質的に類似である局指示信号を使用する。局指示信号は、ＷＬＡＮ  １２５の現状（例えば、電力モード）、送信／受信すべきパケットを有するかどうかに関してＡＰ  １１０に知らせる。局指示信号は、ビーコンが送信された直後にＡＰ  １１０により送信された任意選択的なポールへの応答として送ることができる。しかしながら、ポールがなくても、ＬＰ無線機２３０は、局指示信号を送信するために使用することができる。ポールは別個の信号として送信することができるか、黙示的とすることができるか、又は、ビーコンと共に含めることができることに注意されたい。このようにすると、低電力シグナリングは、局指示信号を局１１５〜１２５からＡＰ  １１０に送信するために再び使用することができる。局指示信号は、他のネットワークトラフィックと衝突しないことになる。異なるトーンを利用することによりなど、複数の指示フレームを同時に送信することができると仮定することができることに注意されたい。
【００４１】
局指示信号は、ウェイクアップ信号と実質的に類似の様々な方法でフォーマットすることもできる。特定の例示的なフォーマットでは、及び、図６Ｂに示すように、局指示信号６５０は、３つのフィールドを含むことができる。第１のフィールドは、短いソースアドレスとすることができる。このフィールドは、ウェイクアップ信号の短いソースアドレスと実質的に類似のものとすることができるが、部分的なＡＩＤ又は類似の（厳密にではなく）固有の識別子とすることもできる。第２のフィールドは、短い宛先アドレスとすることができる。例えば、短い宛先アドレスは、部分的な宛先ＭＡＣアドレス、宛先ＭＡＣアドレスのハッシュ、又は、類似の（厳密にではなく）固有の識別子とすることができる。第３のフィールドは、電力モードとすることができる。電力モードは、ＷＬＡＮ無線機２２５の状態の指示とすることができる。例えば、０の電力モード（ＰＭ）は、ＷＬＡＮ無線機２２５がアウェイクであることを示すことができ、１のＰＭは、ＷＬＡＮ無線機２２５がスリープ状態であることを示すことができ、３のＰＭは、ＷＬＡＮ無線機２２５がスリープ状態であるが、ウェイクアップ信号トリガなどでウェイクアップさせることができることを示すことができる。
【００４２】
図３は、ウェイクアップ信号を利用する第１の例示的なシグナリング３００を示す。具体的には、シグナリング３００は、クリスタルがデューティサイクルの期間にわたってアクティブ化される、先述した第１の例示的な実施形態に関する。シグナリング３００は、ＡＰ  １１０と局１１５との間の信号の交換を説明することになる。しかしながら、同じタイプのシグナリングがＡＰと他の局１２０及び１２５との間で行われる場合があることが明らかなはずである。初期ステップは、デューティサイクルの開始を判定することとすることができる。デューティサイクルが開始したとき、ＷＬＡＮ無線機２２５のクリスタルをアクティブ化する（３０５）ことができる。ＬＰ無線機２３０をデューティサイクルの開始にてアクティブ化することもできる。
【００４３】
ＡＰ  １１０は、局１１５がビーコン及びその後のデータ送信を受信することになっていると判定することができる。したがって、ＡＰ  １１０は、局１１５についてウェイクアップ信号３１０を生成する。ウェイクアップ信号３１０をＡＰ  １１０から局１１５のＬＰ無線機１３０に送信する。ＬＰ無線機２３０に送信されたウェイクアップ信号は、ＷＬＡＮ無線機２２５に送信される信号と同じ帯域で送信することができるか、又は、送信に利用可能である任意の他の帯域で送信することもできることに注意されたい。即ち、ウェイクアップ信号が送信される帯域は、例示的な実施形態に重要ではなく、単にウェイクアップ信号が送受信されるからである。ＬＰ無線機２３０は、ＷＬＡＮ無線機２２５のＰＨＹがオン（３２０）にされるようにＷＬＡＮ無線機２２５にアクティブ化信号３１５を転送する。先述したように、アクティブ化信号３１５は、直接にＬＰ無線機２３０からＷＬＡＮ無線機２２５に、又は、プロセッサ２２５を介して送ることができる。ＡＰ  １１０は、ウェイクアップ信号３１０を送信するとタイマー３２５をアクティブ化することもできる。第１の例示的な実施形態では、このタイマー３２５を５０μｓに設定することができる。タイマーの期間は、ＷＬＡＮ無線機１２５が完全にアウェイクであるために必要とされる時間に基づいて設定される。
【００４４】
タイマー３２５の満了は、いつビーコンがＡＰ  １１０により送信されることになっているかを示す。タイマー３２５が満了する直前に、ＡＰ  １１０は、ＮＯＷ信号３３０を現在アウェイクであるＷＬＡＮ無線機２２５に送信することができる。ＮＯＷ信号３３０の受信は、局１１５に、ビーコンを受信するように準備するためにＭＡＣをアクティブ化させる（３４０）こともできる。ＮＯＷ信号３３０は、ビーコン送信に使用される媒体を占有することができる。したがって、タイマー３２５が満了したとき、ビーコン３３５は、他のネットワークトラフィックがこの媒体を奪い取ることなく既知の媒体で送信される。
【００４５】
ビーコン３３５が送信された後、ＡＰ  １１０は、応答のためにポール３４５を任意選択的に送信することができる。ＷＬＡＮ無線機２２５は、自らの状態を判定（３５０）して、この情報をＬＰ無線機２３０に状態信号３５５を介して提供することができる。ＬＰ無線機２３０は、局指示信号３６０（例えば、ＰＳポールフレーム）をＡＰ  １１０に返送することができる。先述したように、状態指示信号３６０は、局１１５に関する情報、例えば、ＷＬＡＮ無線機２２５のアクティブ化状態を、ＡＰ  １１０に提供することができる。
【００４６】
図４は、ウェイクアップ信号を利用する第２の例示的なシグナリング４００を示す。具体的には、シグナリング４００は、多段ウェイクアップ手順が使用され、クリスタルがウェイクアップ信号を受信した後にアクティブ化される、上述の第２の例示的な実施形態に関する。シグナリング４００は、ＡＰ  １１０と局１１５との間で交換される信号を説明するためにも使用する。やはり、初期ステップは、デューティサイクルの開始を判定することとすることができる。デューティサイクルが開始したとき、ＬＰ無線機２３０をアクティブ化することができる。
【００４７】
やはり、ＡＰ  １１０は、局１１５がビーコン及びその後のデータ送信を受信することになっていると判定することができる。したがって、ＡＰ  １１０は、局１１５についてウェイクアップ信号４０５を生成する。ウェイクアップ信号４０５をＡＰ  １１０から局１１５のＬＰ無線機２３０に送信する。ＬＰ無線機２３０は、クリスタルをアクティブ化し（４１５）、及びＰＨＹをアクティブ化されてＷＬＡＮ無線機１２５のＰＨＹをオン（４２０）にするように、アクティブ化信号４１０をＷＬＡＮ無線機２２５に転送する。ウェイクアップ信号４０５を送信すると、ＡＰ  １１０は、タイマー４２５をアクティブ化することができる。第２の例示的な実施形態では、このタイマー４２５を４ｍｓに設定することができる。やはり、タイマー４２５の期間は、ＷＬＡＮ無線機１２５が完全にアウェイクであるために必要とされる時間に基づいて設定される。この実施形態では、アクティブ化信号４１０がクリスタルはオンにされるべきであると知らせることから、時間４２５は、クリスタルがデューティサイクルの開始にてオンにされた先の実施形態の時間３２５よりも長い期間に設定される。
【００４８】
ＷＬＡＮ無線機２２５へのＮＯＷ信号４３０の送信、局１１５のＭＡＣのアクティブ化（４４０）、ＷＬＡＮ無線機２２５にビーコン４３５の送信、ポール４４５、状態判定４５０、状態信号４５５及び局指示信号４６０の任意選択的な送信を含むその後のステップは、シグナリング３００に関して先に説明した第１の例示的な実施形態と実質的に類似のものとすることができる。
【００４９】
図５は、ウェイクアップ信号を受信する例示的な局及びその後の動作の例示的なブロック５００を示す。具体的には、ブロック５００は、ウェイクアップ信号の使用を含むウェイクアップ手順において使用されるＬＰ無線機２３０及びＷＬＡＮ無線機２２５の構成要素を示す。図示のように、ブロック５００の上半分は、ＬＰ無線機２３０を表し、ブロック５００の下半分は、ＷＬＡＮ無線機２２５を表すことができる。ＷＬＡＮ無線機２２５及びＬＰ無線機２３０は共通の局の部分であることから、ＷＬＡＮ無線機２２５及びＬＰ無線機２３０の間に配置されたＭＡＣアドレスは、上位層を表すことができる。
【００５０】
初めに、先に論じたように、ＬＰ無線機２３０は、アンテナを使用してウェイクアップ信号を受信することができる。ウェイクアップ信号は、機能性が当業者に知られている様々な構成要素を使用して処理することができる。例えば、ＬＰ無線機１３０は、増幅器モジュールと、ミキサーと、フィルタと、アナログ／デジタルモジュールと、ＡＧＣモジュールと、オフセット推定モジュールと、チャネル予測モジュールと、イコライザと、デコーダと、識別器とを含むことができる。識別器は、アクティブ化信号を生成することができる。アクティブ化信号は、アナログＲＦ部、デジタルフロントエンド部、及びデジタルブロック部などのＷＬＡＮ無線機１２５のサブ構成要素に転送される電源オン信号を含む。
【００５１】
電源オン信号が受け付けされている状態で、各部をアクティブ化することができる。具体的には、クリスタルをアクティブ化することができ、ＰＨＹをオンにすることができる。ＷＬＡＮ無線機１２５は、機能性が当業者に知られている様々な構成要素も含むことができる。例えば、ＷＬＡＮ無線機１２５は、ＲＦモジュールと、フィルタと、アナログ／デジタルモジュールと、ＡＧＣモジュールと、ＣＲＳモジュールと、オフセット推定モジュールと、チャネル予測モジュールと、ＦＦＴモジュールと、復調器と、デコーダと、ＭＡＣモジュールとを含むことができる。したがって、ビーコンがアンテナを使用してＷＬＡＮ無線機１２５により受信されたとき、ビーコンを処理することができる。
【００５２】
例示的な実施形態は、電力を節約する低電力シグナリングのシステム及び方法を提供する。局は、ビーコン及びビーコンに示されたその後のデータ送信を受信するのに使用される第１の無線機（即ち、ＷＬＡＮ無線機）を含むことができる。局は、スリープ状態からＷＬＡＮ無線機をウェイクするウェイクアップ信号を受信するのに使用される第２の無線機（即ち、ＬＰ無線機）を更に含むことができる。高電力を使用しないＬＰ無線機を使用して、局は、高電力を使用するＷＬＡＮ無線機をより長い期間の間スリープ状態に保って、受信されるべき未処理パケットについてＷＬＡＮ無線機をアクティブ化するのみとすることにより限りある電源を節約することができる。
【００５３】
ウェイクアップＰＨＹ設計は、受信電力最小化及び８０２．１１ＰＨＹパラメータを上回らない送信電力の使用に関係する場合があることに注意されたい。即ち、受信帯域幅、騒音指数、ダイナミックレンジ及びＬＯ位相雑音要件が低減される。ウェイクアップ信号がデータペイロードを含まないことから、ＬＰ無線機は、低電力消費構成要素で構成することができる。ウェイクアップ信号は、最低データ転送速度（例えば、６Ｍｂｐｓ）に適合する感度を有することができる。更に、ＡＷＧＮ及び８０２．１１トラフィックからの誤警報が最小限に抑えられる。２又は４−ＦＳＫのパラメータは、単純なブロックコードによるものとすることができることにも注意されたい。更に、ウェイクアップ信号の動作の周波数は、既存のチャネル又は新しい狭帯域幅チャネル（例えば、チャネル６と１１との間）とすることができる。更に、ウェイクアップ信号同時送信が、ある程度の繰り返しがある各ウェイクアップ信号について異なるトーンを使用して実行することができ、及び／又は、スペクトル拡散を利用することができる。
【００５４】
当業者は、上記の例示的な実施形態は、任意の好適なソフトウェア又はハードウェア構成又はその組み合わせで実行することができることを理解するであろう。例示的な実施形態を実行する例示的なハードウェアプラットフォームとしては、例えば、互換性のあるオペレーティングシステムを有するＩｎｔｅｌ  ｘ８６ベースのプラットフォーム、Ｍａｃプラットフォーム、ＭＡＣ  ＯＳ、ｉＯＳ、Ａｎｄｒｏｉｄ  ＯＳなどを挙げることができる。更なる実施例では、上記の方法の例示的な実施形態は、コンパイル時にプロセッサ又はマイクロプロセッサ上で実行することができる永続的コンピュータ可読記憶媒体上に記憶されたコード行を含むプログラムとして実施することができる。
【００５５】
本発明の趣旨又は範囲から逸脱することなく、様々な改変を本発明において行うことができることが、当業者には明らかであろう。よって、本発明は、添付特許請求の範囲及び均等物該当することを条件として本発明の改変及び変形例を包含することが意図されている。
【図１】
2015136113.tif 000003
【図２】
2015136113.tif 000004
【図３】
2015136113.tif 000005
【図４】
2015136113.tif 000006
【図５】
2015136113.tif 000007
【図６Ａ】
2015136113.tif 000008
【図６Ｂ】
2015136113.tif 000009
【外国語明細書】
2015136113000001.pdf